(57)【要約】【課題】  屋外側から外壁パネル２間の縦目地に取り付けることができ、外壁パネル２の厚さを変更したような場合にも使いまわしが良く、取付け作業が比較的容易な外壁目地の２重防水構造１及びその施工方法を提供する。【解決手段】  外壁目地の２重防水構造１は、外壁パネル２間の縦目地に圧入され、当該縦目地の全高に渡って配置される弾性を有する長手形状の一次シール部材５と、該一次シール部材５の屋内側に形成された凸条５３に間隔を開けて嵌着する断面略Ｕ字形状の複数のクリップ部材６と、該クリップ部材６に外嵌して固定される断面略Ｕ字形状の収納部７１と、中央に前記収納部７１が固定されるとともに、両端が広がって前記外壁パネル２の屋内側端縁に水密的に圧接するヒレ７４を形成する本体部７２とを有し、前記縦目地の全高に渡って配置される二次防水部材７と、を備える。【選択図】図１
2011157707.tif 000002
【特許請求の範囲】
【請求項１】
外壁パネル間の縦目地のほぼ全高に渡って圧入して配置される弾性を有する長手形状の一次シール部材と、
該一次シール部材の屋内側に形成されている縦方向に長尺な凸条に上下方向に間隔を開けて嵌着する断面略Ｕ字形状の複数のクリップ部材と、
該クリップ部材に外嵌して固定される断面略Ｕ字形状の収納部がその中央に固定されるとともに、その両端に前記外壁パネルの屋内側端縁に水密的に圧接するヒレを有する弾性体からなる本体部とを有する、前記縦目地の全高に渡って配置される二次防水部材と、
を備えることを特徴とする外壁目地の２重防水構造。
【請求項２】
前記収納部が前記本体部と比較して高剛性であることを特徴とする請求項１に記載の外壁目地の２重防水構造。
【請求項３】
前記ヒレの先端が分岐して形成されており、前記先端の一方が前記外壁パネルの小口面に当接するとともに、前記先端の他方が前記外壁パネルの屋内側面に当接することを特徴とする請求項１又は請求項２に記載の外壁目地の２重防水構造。
【請求項４】
断面略Ｕ字形状の収納部と、その中央に収納部をその開口側を屋外側に向けて固定するとともに両端が広がってヒレを形成する本体部とを有する二次防水部材を、屋外側から外壁パネル間の縦目地にその全高に渡って挿入して、前記縦目地の屋内側に保持し、
次に、前記縦目地よりもやや幅広の弾性を有する長手形状の一次シール部材に形成された凸条に断面略Ｕ字形状のクリップ部材を所定間隔で複数嵌着した状態で、屋外側から前記縦目地に前記一次シール部材を当該縦目地の全高にわたって圧入し、前記凸条に嵌着したクリップ部材を前記収納部に挿入して固定することを特徴とする外壁目地の２重防水構造施工方法。
【請求項５】
外壁パネル間の縦目地よりもやや幅広の弾性を有する長手形状の一次シール部材に形成された凸条に断面略Ｕ字形状のクリップ部材を所定間隔で複数嵌着し、
次に、断面略Ｕ字形状の収納部と、中央に前記収納部が固定されるとともに両端が広がってヒレを形成する本体部とを有する二次防水部材の前記収納部を前記クリップ部材に外嵌して固定して、２重の防水部材を形成し、
屋外側から前記縦目地にその全高にわたって前記２重の防水部材を前記二次防水部材側から順に挿入して、前記二次防水部材を前記縦目地の屋内側に保持するとともに、前記一次シール部材を前記縦目地に圧入することを特徴とする外壁目地の２重防水構造施工方法。
【発明の詳細な説明】
【技術分野】
【０００１】
本発明は、外壁パネル間の縦目地から屋内側に水が侵入することを抑止する外壁目地の２重防水構造、及びこの外壁目地の２重防水構造の施工方法に関する。
【背景技術】
【０００２】
従来より、複数の互いに隣接する外壁パネル間に形成される目地から建物内部に風雨などが侵入することを防ぎ、且つ、建物の外観を良好に保つために、乾式の外壁目地ガスケットが用いられる。外壁目地ガスケットは、例えばポリ塩化ビニル等の水密性及び弾性を有する材料で形成され、目地の幅よりもやや幅広の長手形状であって、屋外側から目地に圧入して固定するものである。
【０００３】
このような外壁目地ガスケットにおいては、防水性をさらに高めるために、例えば図１２（Ａ）に示すように、対向する垂直板を底板部に立設して嵌着溝を形成してなるベース目地材１０１と、該ベース目地材１０１の嵌着溝１０６に嵌入する凸条１０３を筒形中空状のシール部１０４に垂設すると共に、シール部１０４のシール面にシリコン系被覆層を形成し、かつ、シール部１０４の下端部を目地幅に合わせて肉厚に形成してなるトップ目地材１０２とからなる外壁目地ガスケット１００が提案されている（特許文献１参照）。
【０００４】
このように構成することで外壁目地ガスケット１００は、図１２（Ｂ）に示すように、シール部１０４の防水性による一次防水に加えて、ベース目地材１０１が外壁パネル１０５の裏面１０５ａに当接密着することによって、二次防水を行うことができ、より防水効果を高めることができる。
【先行技術文献】
【特許文献】
【０００５】
【特許文献１】特開２００３−７４１３０号公報
【発明の概要】
【発明が解決しようとする課題】
【０００６】
しかし、上述のような外壁目地ガスケット１００においては、ベース目地材１０１が建物の屋内側から取り付けるものであるので、外壁パネル１０５の屋内側に配置される下地材や外壁パネル取付用金具等が邪魔になって、ベース目地材１０１を取り付ける作業が困難となる場合も多く、また、外壁をリフォームする場合などのように内装材が固定されているためにベース目地材１０１を取り付けることが不可能となる場合もあった。
【０００７】
また、ベース目地材１０１の嵌着溝１０６及びトップ目地材１０２の凸条１０３が縦目地の全高に渡って形成されているので、凸条１０３を嵌着溝１０６に嵌入させる作業も縦目地の全高に渡って行う必要があり、作業に手間が掛かった。
【０００８】
また、外壁目地ガスケットは、ベース目地材１０１とトップ目地材１０２の２つの部材から形成されるものであるので、外壁パネル１０５の厚さを変更した場合にはこれら２つの部材を設計変更する必要があり、より使いまわしし易い部材が求められていた。
【０００９】
そこで、本発明は、屋外側から外壁パネル間の縦目地に取り付けることができ、外壁パネルの厚さを変更したような場合にも使いまわしが良く、取付け作業が比較的容易な外壁目地の２重防水構造及びその施工方法を提供することを目的とする。
【課題を解決するための手段】
【００１０】
請求項１に記載の外壁目地の２重防水構造は、外壁パネル間の縦目地のほぼ全高に渡って圧入して配置される弾性を有する長手形状の一次シール部材と、該一次シール部材の屋内側に形成されている縦方向に長尺な凸条に上下方向に間隔を開けて嵌着する断面略Ｕ字形状の複数のクリップ部材と、該クリップ部材に外嵌して固定される断面略Ｕ字形状の収納部がその中央に固定されるとともに、その両端に前記外壁パネルの屋内側端縁に水密的に圧接するヒレを有する弾性体からなる本体部とを有する、前記縦目地の全高に渡って配置される二次防水部材と、を備えることを特徴としている。
【００１１】
請求項２に記載の外壁目地の２重防水構造は、前記収納部が前記本体部と比較して高剛性であることを特徴としている。
【００１２】
請求項３に記載の外壁目地の２重防水構造は、前記ヒレの先端が分岐して形成されており、前記先端の一方が前記外壁パネルの小口面に当接するとともに、前記先端の他方が前記外壁パネルの屋内側面に当接することを特徴としている。
【００１３】
請求項４に記載の外壁目地の２重防水構造施工方法は、断面略Ｕ字形状の収納部と、その中央に収納部をその開口側を屋外側に向けて固定するとともに両端が広がってヒレを形成する本体部とを有する二次防水部材を、屋外側から外壁パネル間の縦目地にその全高に渡って挿入して、前記縦目地の屋内側に保持し、次に、前記縦目地よりもやや幅広の弾性を有する長手形状の一次シール部材に形成された凸条に断面略Ｕ字形状のクリップ部材を所定間隔で複数嵌着した状態で、屋外側から前記縦目地に前記一次シール部材を当該縦目地の全高にわたって圧入し、前記凸条に嵌着したクリップ部材を前記収納部に挿入して固定することを特徴としている。
【００１４】
請求項５に記載の外壁目地の２重防水構造施工方法は、外壁パネル間の縦目地よりもやや幅広の弾性を有する長手形状の一次シール部材に形成された凸条に断面略Ｕ字形状のクリップ部材を所定間隔で複数嵌着し、次に、断面略Ｕ字形状の収納部と、中央に前記収納部が固定されるとともに両端が広がってヒレを形成する本体部とを有する二次防水部材の前記収納部を前記クリップ部材に外嵌して固定して、２重の防水部材を形成し、屋外側から前記縦目地にその全高にわたって前記２重の防水部材を前記二次防水部材側から順に挿入して、前記二次防水部材を前記縦目地の屋内側に保持するとともに、前記一次シール部材部材を前記縦目地に圧入することを特徴としている。
【発明の効果】
【００１５】
請求項１に記載の外壁目地の二次防水部材によると、一次シール部材は弾性を有し、二次防水部材の本体部は弾性体からなるため、一次シール部材及び二次防水部材を弾性変形させて屋外側から外壁パネル間の縦目地に取り付けることができる。また、一次シール部材と二次防水部材とをクリップ部材を介して固定するので、外壁パネルの厚さを変更する場合などのように、外壁のバリエーションの変更に、一次シール部材、二次防水部材、及びクリップ部材のうち一部の部材を仕様変更することで対応することができ、種々のバリエーションの外壁に使い回ししやすい。
【００１６】
また、一次シール部材と二次防水部材とはそれぞれ縦目地の全高に渡って配置されるとともに、クリップ部材は必要な箇所に複数配置されているので、２重防水構造による確実な防水性が確保できるとともに、施工の際はクリップ部材が配置されている箇所のみ一次シール部材及び二次防水部材を連結すればよいので、縦目地の全高に渡って連結する場合に比べて施工が容易となる。
【００１７】
請求項２に記載の外壁目地の二次防水部材によると、二次防水部材の本体部は弾性体により形成されており、収納部はこの本体部よりも高剛性であるので、本体部の両端に広がるヒレが外壁パネルの屋内側端縁に圧接して２次防水機能を発揮するとともに、高剛性の収納部によりクリップ部材を介して確実に一次シール部材に連結することができる。また、収納部が高剛性であることにより、断面略Ｕ字形状の収納部の立ち上がり部分がリブの役割を果たし、二次防水部材を補強することができる。
【００１８】
請求項３に記載の外壁目地の二次防水部材によると、二次防水部材の本体部に形成されたヒレの先端が分岐して形成されており、一方が外壁パネルの小口面に当接するとともに、他方が外壁パネルの屋内側面に当接するので、二次防水部材の外壁パネルと接する部分がさらに、外部からの水の侵入を２重に防止することになり、より確実に防水することができる。また、このように外壁パネルの小口面と外壁パネルの屋内側面とに当接することで、外壁目地幅が施工精度の範囲内で若干変化しても、確実に防水することができる。
【００１９】
請求項４に記載の外壁目地の２重防水構造施工方法によると、外壁パネル間の縦目地にまず二次防水部材を挿入して縦目地の屋内側に保持してから、クリップ部材が嵌着された一次シール部材を縦目地に圧入するものであるので、二次防水部材を挿入した際に、２次防水性が確保できているか目視で確認することができるので、より確実に防水性を確保できる。
【００２０】
請求項５に記載の外壁目地の２重防水構造施工方法によると、一次シール部材と二次防水部材とをクリップ部材を介して２重の防水部材を形成してから、縦目地にその全高にわたってこの２重の防水部材を挿入するものであるので、予め２重の防水部材を形成しておけば、その後は、外壁の縦目地に２重の防水部材を挿入する１工程だけで、外壁目地の２重防水構造を施工することができ、施工が極めて容易になる。
【図面の簡単な説明】
【００２１】
【図１】外壁パネルの２重防水構造の全体構成を説明する省略断面図、及びその一部省略拡大図。
【図２】一次シール部材の構成を説明する断面図及び省略斜視図。
【図３】クリップ部材の構成を説明する側面図及び斜視図。
【図４】二次防水部材の構成を説明する断面図及び省略斜視図。
【図５】軸組に外壁パネルを固定する工程を示す省略断面図。
【図６】二次防水部材を縦目地に挿入する状態を説明する省略断面図。
【図７】一次シール部材の凸条にクリップ部材を外嵌させる状態を説明する断面図。
【図８】凸条にクリップ部材を外嵌した状態の一次シール部材を縦目地に挿入する状態を説明する省略断面図。
【図９】外壁パネルを厚く形成した場合の外壁パネルの２重防水構造の全体構成を説明する省略断面図、及びその１部省略斜視図。
【図１０】一次シール部材、クリップ部材、及び二次防水部材を連結して２重の防水部材を形成する状態を説明する断面図。
【図１１】２重の防水部材を縦目地に挿入する状態を説明する一部省略断面図。
【図１２】従来の縦目地防水に用いられる外壁目地ガスケットの一例を示す図。
【発明を実施するための形態】
【００２２】
以下、外壁目地の２重防水構造１及びその施工方法の最良の実施形態について、各図を参照しつつ説明する。外壁目地の２重防水構造１が用いられる外壁は、図１に示すように、複数の外壁パネル２を建物の構造躯体を構成する軸組３に外壁パネル取付用金具４を用いて固定して形成される。外壁パネル２は、矩形平板状に形成された例えば樹脂系、セメント系、セラミック系、又は金属系のサイディング材である。この外壁パネル２の周縁の屋内側にはこの外壁パネル２を建物の梁や柱に固定するために断面Ｃ型の金属枠２１が目地方向に開口して取り付けられている。
【００２３】
この外壁パネル２を軸組３に固定する外壁パネル取付用金具４は、軸組３に固定され、軸組３から屋外方向に突出する基部４１と、基部４１を軸として回転可能に固定されており、外壁パネル２の金属枠２１を軸組３との間に挟持するパネル固定部４２と、このパネル固定部４２を回転動作させる操作部４３とを備える。外壁パネル２を固定する際には、軸組３に外壁パネル２の金属枠２１を押し当てて、外壁パネル取付用金具４の操作部４３を操作してパネル固定部４２を回転させ、パネル固定部４２と軸組３とで外壁パネル２の金属枠２１を挟持して固定する。このとき、操作部４３は、外壁パネル２間の縦目地の奥に位置するように構成されている。したがって、屋外側から目地内にドライバーなどの工具を挿入しつつ操作することにより、外壁パネル２を屋外側から取り付けることができ、また、リフォームなどの際にも外壁パネル２を屋外側から取り外すことができる。
【００２４】
外壁目地の２重防水構造１は、このような外壁パネル２間の縦目地に配置されるものであって、外壁パネル２間の縦目地を通過して建物の屋内側に雨水等が侵入することを防止するものである。この外壁目地の２重防水構造１は、図１に示すように、外壁パネル２間の縦目地に圧入される一次シール部材５と、この一次シール部材５に形成された凸条５３に嵌着する複数のクリップ部材６と、このクリップ部材６に外嵌しつつ縦目地の屋内側に配置される二次防水部材７と、により構成されている。
【００２５】
一次シール部材５は、例えばポリプロピレンとゴムを混合したポリオレフィン系の弾性樹脂により形成されており、図２に示すように、縦目地に圧入したときに屋外側となる蓋部５１と、この蓋部５１から屋内側に向かって縦目地の目地幅よりもやや幅広に形成されるシール部５２と、シール部５２の中央から屋内側に突出して、膨らんで形成されている凸条５３と、を具備している。シール部５２は、側方に向かって複数の襞５４が形成されるとともに、内部に複数の空洞５５が管状に設けられており、一次シール部材５を外壁パネル２間の縦目地に圧入したときに弾性変形しつつ外壁パネル２の小口面に密着して、縦目地をシールできるように構成されている。またシール部５２の中央の内部には、金属板状の形状保持部５６が収納されており、一次シール部材５の形状を保持して確実に縦目地をシールできるようにしている。
【００２６】
クリップ部材６は、一枚の金属板を折り曲げて加工して形成した金具であって、一次シール部材５の凸条５３を内側に収納できる大きさに側部がそれぞれ屈曲して立上がって断面略Ｕ字形状に形成されている。図３に示すように、両側の立上がった部分は、それぞれ３つに分離して構成されており、その中央が外側にやや広がるように傾斜した係止片６１を形成している。そしてこの係止片６１の両側には先端が内側に屈曲した鉤部６２が形成されている。このクリップ部材６が一次シール部材５の凸条５３に外嵌したときに鉤部６２が凸条５３に引っ掛かるように形成されており、クリップ部材６が一次シール部材５から脱落することを防止している。
【００２７】
二次防水部材７は、クリップ部材６に外嵌可能な大きさに形成された断面略Ｕ字形状の収納部７１と、中央にこの収納部７１が接着などにより固定された扁平な本体部７２と、を有する。収納部７１はポリプロピレンにタルクを混入するなどして剛性を高めた樹脂により形成されており、その先端には内側にやや突出する爪部７３が形成されている。このように収納部７１が比較的高い剛性の樹脂で形成されており、Ｕ字形状に立ち上がっていることで、この立ち上がった部分がリブの役割を果たし二次防水部材７を補強することができる。収納部７１にクリップ部材６を収納した時には、クリップ部材６のやや外側に広がった係止片６１がこの収納部７１の爪部７３に引っ掛かることでクリップ部材６を固定することができる。本体部７２は、ポリプロピレン又はポリプロピレンとゴムを混合した樹脂などの弾性を有する樹脂により形成されている。この本体部７２は、中央が収納部７１が接着される平らな板状に形成されるとともに、両側の端部がやや折れ曲がってヒレ７４を形成している。そしてこのヒレ７４は、屋内側と屋外側とに分岐して形成されている。二次防水部材７を外壁パネル２間の縦目地の屋内側に保持したときには、分岐したヒレ７４のうち屋外側のヒレ７４ａが外壁パネル２の小口面に水密的に圧接するとともに、屋内側のヒレ７４ｂが外壁パネル２の屋内側面に水密的に圧接して、防水機能を発揮している。
【００２８】
このように構成される２重防水構造を施工する際には、まず、図５に示すように、外壁パネル２を建物の軸組３に固定する。具体的には、軸組３に外壁パネル取付用金具４を取り付け、外壁パネル２の金属枠２１の屋内側面を軸組３に当接させる。そして、外壁パネル取付用金具４の操作部４３を操作してパネル固定部４２を回転させ、このパネル固定部４２を金属枠２１の屋外側面に当接させ、このパネル固定部４２と軸組３とで金属枠２１を挟持して固定する。
【００２９】
そして、次に、図６に示すように二次防水部材７を屋外側から縦目地を通して、この縦目地の全高に渡ってその屋内側に収納する。二次防水部材７は、縦目地の屋内側に外壁パネル取付用金具４があるため、屋内側に脱落することなく、縦目地の屋内側に配置される。また、二次防水部材７は縦目地の目地幅よりもやや幅広であるが、この二次防水部材７の本体部７２を弾性変形させることにより縦目地内に挿入させることができ、またこの本体部７２の復元力により、二次防水部材７を縦目地の屋内側に保持した状態で、屋外側のヒレ７４ａが外壁パネル２の小口面に水密的に圧接するとともに、屋内側のヒレ７４ｂが外壁パネル２の屋内側面に水密的に圧接することができる。このように、先に二次防水部材７のみを縦目地の屋内側に挿入することで、施工作業者が屋外側から二次防水部材７の施工状況を確認することができ、二次防水部材７のヒレ７４が外壁パネル２に密着して確実に防水できていることを確認することができる。
【００３０】
次に、図７に示すように、一次シール部材５の凸条５３に所定間隔でクリップ部材６を外嵌させる。そして、図８に示すように、凸条５３にクリップ部材６を外嵌させた状態の一次シール部材５を屋外側から縦目地の全高に渡って圧入する。このとき一次シール部材５のシール部５２は弾性変形して縦目地の中間位置で固定される。また、このとき先に縦目地の屋内側に保持されている二次防水部材７の収納部７１にクリップ部材６を外嵌した一次シール部材５の凸条５３を挿入して固定する。クリップ部材６の立ち上がった係止片６１は外側にやや広がっており、収納部７１の先端に内側にやや突出して形成された爪部７３に引っ掛かることで収納部７１にクリップ部材６が収納された状態で固定されることになる。これにより、一次シール部材５と二次防水部材７とが互いに連結されるので、一次シール部材５の脱落を防止することができるとともに、二次防水部材７の位置がずれて防水性が落ちることを防ぐことができる。
【００３１】
このように、施工した外壁目地の２重防水構造１は、一次シール部材５による１次防水と、二次防水部材７による２次防水との２重の防水を行うことができるので、屋外側からの雨水の侵入を防止することができる。この一次シール部材５及び二次防水部材７は外壁パネル２間の縦目地の全高にわたって配置されているので確実に防水できるとともに、クリップ部材６は所定間隔で固定する必要がある位置に複数設置されるものであるので、縦目地の全高に渡って固定する場合に比べて施工が容易となる。また、一次シール部材５のシール部５２や二次防水部材７の本体部７２は弾性を有する樹脂により形成されているため、一次シール部材５及び二次防水部材７を弾性変形させて屋外側から外壁パネル２間の縦目地に取り付けることができる。
【００３２】
また、二次防水部材７の本体部７２に形成されたヒレ７４が分岐して外壁パネル２の小口面と屋内側面にそれぞれ当接するので、二次防水部材７の外壁パネル２と接する部分がさらに、外部からの水の侵入を２重に防止することになるとともに、外壁目地幅が施工精度の範囲内で若干変化しても、確実に防水することができる。
【００３３】
またこのように一次シール部材５、クリップ部材６、及び二次防水部材７の３つの部材で構成することで、例えば図９に示すように、外壁パネル２が厚くなった場合には、クリップ部材６の立ち上がり部の鉤部６２を長く形成するだけで他の一次シール部材５及び二次防水部材７の形状を変更することなく用いることができる。また、外壁パネル２が薄くなった場合には、例えば二次防水部材７の形状を薄くするだけで他の部材の形状を変更することなく用いることができる。このように３つの部材に分けていることで、外壁パネル２のバリエーションを変更する場合に、一次シール部材５、二次防水部材７、及びクリップ部材６のうち一部の部材を仕様変更することで対応することができ、種々のバリエーションの外壁に使い回ししやすい。
【００３４】
次に、外壁目地の２重防水構造１の別の施工方法について説明する。この別の施工方法では、まず、図１０に示すように、一次シール部材５、クリップ部材６、及び二次防水部材７を縦目地に挿入する前に予め連結させて、２重の防水部材８を形成しておく。すなわち、一次シール部材５の凸条５３に所定間隔でクリップ部材６を外嵌させるとともに、このクリップ部材６を外嵌させた凸条５３を、二次防水部材７の収納部７１に収納して、これら一次シール部材５、クリップ部材６、及び二次防水部材７を連結する。このとき、クリップ部材６に形成された鉤部６２が一次シール部材５の凸条５３に引っ掛かって確実に固定されるとともに、クリップ部材６のやや外側に広がる係止片６１が、二次防水部材７の収納部７１に形成された爪部７３に引っ掛かって確実に固定される。
【００３５】
そして、次に、図１１に示すように、軸組３に外壁パネル２を固定して形成した外壁パネル２間の縦目地に屋外側から、上述のようにして連結した２重の防水部材８を二次防水部材７側から挿入する。このとき、縦目地よりも幅広に形成された二次防水部材７の本体部７２及び一次シール部材５のシール部５２が弾性変形して、縦目地内に侵入する。そして二次防水部材７の本体部７２に形成されたヒレ７４は、本体部７２の復元力により、二次防水部材７を縦目地の屋内側に保持した状態で、屋外側のヒレ７４ａが外壁パネル２の小口面に水密的に圧接するとともに、屋内側のヒレ７４ｂが外壁パネル２の屋内側面に水密的に圧接する。
【００３６】
このように施工すると、外壁の縦目地に２重の防水部材８を挿入する１工程だけで、外壁目地の２重防水構造１を施工することができ、施工が極めて容易になる。なお、このように施工する場合は、予め例えば住宅建材を製造する工場などで、一次シール部材５、クリップ部材６、及び二次防水部材７を一体形成しても良く、また、一次シール部材５及びクリップ部材６を一体形成してもよい。
【００３７】
なお、本発明の実施の形態は上述の形態に限ることなく、本発明の思想の範囲を逸脱しない範囲で適宜変更することができることは云うまでもない。
【産業上の利用可能性】
【００３８】
本発明に係る外壁目地の２重防水構造１、及び外壁目地の２重防水構造施工方法は、外壁の縦目地をより確実に防水することができる外壁目地の２重防水構造１、及び外壁目地の２重防水構造施工方法として好適に用いることができる。
【符号の説明】
【００３９】
１          外壁目地の２重防水構造
２          外壁パネル
５          一次シール部材
６          クリップ部材
７          二次防水部材
８          ２重の防水部材
５３        凸条
７１        収納部
７２        本体部
７４        ヒレ
【図１】
2011157707.tif 000003
【図２】
2011157707.tif 000004
【図３】
2011157707.tif 000005
【図４】
2011157707.tif 000006
【図５】
2011157707.tif 000007
【図６】
2011157707.tif 000008
【図７】
2011157707.tif 000009
【図８】
2011157707.tif 000010
【図９】
2011157707.tif 000011
【図１０】
2011157707.tif 000012
【図１１】
2011157707.tif 000013
【図１２】
2011157707.tif 000014